(57)【要約】携帯の邪魔にならないように可能な限りコンパクトな携帯型バッテリーを提供する。携帯型バッテリーは、本体の内部に二次電池を内蔵し、二次電池を充電するための第一端子と、二次電池を使用するための第二端子を上記本体に備えている。第一端子１３及び第二端子１４は、それぞれ不使用時には本体の第一収納部１５及び第二収納部１６に収納されるとともに、使用時には引き出せるように上記本体側とケーブル１７、１８で接続されており、上記第一端子、第二端子の内の少なくとも一方は入力用の端子とし、他方は出力用の端子とし、上記第一端子、第二端子は、第一収納部、第二収納部と雌雄嵌合可能な構成を備えている。
2013161092.tif 000002
【特許請求の範囲】
【請求項１】
本体の内部に二次電池を内蔵し、二次電池を充電するための第一端子と、二次電池を使用するための第二端子を上記本体に備えた携帯型バッテリーであって、
第一端子及び第二端子は、それぞれ不使用時には本体の第一収納部及び第二収納部に収納されるとともに、使用時には引き出せるように上記本体側とケーブルで接続されており、上記第一端子、第二端子の内の少なくとも一方は入力用の端子とし、他方は出力用の端子とし、上記第一端子、第二端子は、第一収納部、第二収納部と雌雄嵌合可能な構成を備えている
携帯型バッテリー。
【請求項２】
第一端子としてＵＳＢ端子を備え、第二端子としてコネクター端子を備えており、上記ＵＳＢ端子を第一収納部に収納することによって電源回路に接続した状態となり、コネクター端子をデジタル機器に接続したときに、電源のループ発生に対処する電源のループ防止回路を搭載した
請求項１記載の携帯型バッテリー。
【請求項３】
本体は、二次電池が内蔵された、扁平な直方体形状を有しており、
上記本体の側面に沿って、本体と第一端子又は第二端子を接続しているケーブルの嵌め込み溝が設けられており、
上記嵌め込み溝の延長線上の本体側面に、第一端子を収納する第一収納部及びコネクター端子を収納する第二収納部が設けられている
請求項１記載の携帯型バッテリー。
【発明の詳細な説明】
【技術分野】
【０００１】
本発明は、本体の内部に二次電池を内蔵し、二次電池を充電するための第一端子と、二次電池を使用するための第二端子を上記本体に備えた携帯型バッテリーに関するものである。
【背景技術】
【０００２】
携帯型デジタル機器、中でも、ｉＰｈｏｎｅ（アップル社の商品名）として知られているスマートフォン、あるいはｉＰｏｄ（アップル社の商品名）として知られているデジタル音楽プレイヤーなど、大画面の液晶ディスプレイを駆動する機器は、電源を確保できることが快適な使用のために重要な条件となる。従来は、ＡＣアウトレットに接続するコネクター付きのコードやＵＳＢ電源アダプターを携行し、必要に応じてＡＣ電源に接続し、充電を行なってきた。
また、ＡＣ電源が得られない状況で上記機器を使用するために、携帯型バッテリーも提供されている。しかし、従来の携帯型バッテリーは、専用の端子が露出した構造であり、そのため埃などが付着したり、ケーブルを持ち歩くような場合にはかさ張ったりするというような問題があった。
これに対して先行技術を調査すると、特開２００７−９５４１７号があり、それは、ＵＳＢバスパワー充電の可能なＵＳＢ端子搭載電子機器を充電するバッテリーパックの発明を開示している。同発明はバッテリーパックの両端部に、ＵＳＢプラグとＵＳＢレセプタクルを備えたもので、屋外でも上記の機器を容易に充電することができる。しかし、端子が露出した構造であることは変わらず、埃等に対する防護策が講じられていない。
【特許文献１】特開２００７−９５４１７号
【発明の開示】
【発明が解決しようとする課題】
【０００３】
本発明は前記の点に鑑みてなされたもので、その課題は、携帯の邪魔にならないように可能な限りコンパクトな携帯型バッテリーを提供することである。また、本発明の他の課題は、不使用時に第一端子及び第二端子が本体に収納されるようにして、埃の付着や汚れの防止その他不測の事態に対する防護策を講じられるようにすることである。また、本発明の他の課題は、ＵＳＢ端子を第一収納部に収納することによってコネクター端子を経由した通電が行なわれないようにすることである。
【課題を解決するための手段】
【０００４】
前記の課題を解決する本発明は、本体の内部に二次電池を内蔵し、二次電池を充電するための第一端子と、二次電池を使用するための第二端子を上記本体に備えた携帯型バッテリーについて、第一端子及び第二端子は、それぞれ不使用時には本体の第一収納部及び第二収納部に収納されるとともに、使用時には引き出せるように上記本体側とケーブルで接続されており、上記第一端子、第二端子の内の少なくとも一方は入力用の端子とし、他方は出力用の端子とし、上記第一端子、第二端子は、第一収納部、第二収納部と雌雄嵌合可能な構成を備えているという手段を講じたものである。なお、端子は第一と第二に限られるものではなく、複数個有れば良く、その内の少なくとも一方が上記の構成を備えていれば良い。
本発明の携帯型バッテリーは、二次電池を充電するための第一端子と、二次電池を使用するための第二端子を、不使用時に本体に収納可能にした構成を有する。ここで、第一端子は内蔵の二次電池を充電する回路を構成し、第二端子は二次電池によって携帯型デジタル機器を充電ないし駆動する回路を構成する。また、第一端子は、前記の先行発明に記載されているＵＳＢプラグ等、また、第二端子は、ＵＳＢレセプタクル等と呼ばれるものを含む。
上記の構成において、第一端子及び第二端子は、それぞれ不使用時には本体の第一収納部及び第二収納部に収納されるとともに、使用時には引き出せるように上記本体側とケーブルで接続されている。本体側と第一端子及び第二端子とがケーブルで接続されていることにより、電子機器に対してそれらの端子を任意の向きで接続することができる。第一端子及び第二端子は、本体の収納部に収められて露出せず、出っ張ることもない。また、上記第一端子、第二端子の内の少なくとも一方は入力用の端子とし、他方は出力用の端子とし、上記第一端子、第二端子は、第一収納部、第二収納部と雌雄嵌合可能な構成を備えていることにより、スペースを効率良く使用することができ、外装を小型化することができた。
本発明の携帯型バッテリーは、第一端子のＵＳＢ端子としてコネクター端子を備えており、上記ＵＳＢ端子を第一収納部に収納することによって電源回路に接続した状態となり、コネクター端子をデジタル機器に接続したときに、電源のループ発生に対処する電源のループ防止回路を搭載した構成は好ましいものである。上記第一端子がＵＳＢ端子の場合、第二端子としてコネクター端子を備えられる。これらの端子は本体に設けられている第一収納部及び第二収納部にそれぞれ収納されるが、そのため、本体には、第一収納部としてＵＳＢ端子と嵌合して固定する構造、第二収納部としてコネクター端子と嵌合して固定する構造が設けられる。なお、ＵＳＢ端子にはタイプＡ、タイプＢ、ミニＡ、ミニＢ、マイクロＡ、マイクロＢ等その他多くの種類があるが、本発明はそのどれにも適用することができる。
そして、また、本発明の携帯型バッテリーは、ＵＳＢ端子を第一収納部に収納することによって電源回路に接続した状態となり、コネクター端子をデジタル機器に接続したとしても、二次電池から電流が放出されず、二次電池への充電もなされないようにするという構成を取ることができる。この構成によって、二次電池から電流が偶然に放電されたり、二次電池が充電状態になったりすることが防止される。
また、本体について、二次電池が内蔵された、扁平な直方体形状を有するものとし、上記本体の側面に沿って、本体と第一端子又は第二端子を接続しているケーブルの嵌め込み溝を設けるものとし、上記嵌め込み溝の延長線上の本体側面に、ＵＳＢ端子を収納する第一収納部及びコネクター端子を収納する第二収納部を設けるものとする。これにより、第一端子、第二端子のケーブルを整理して、本体に巻き付けた状態とすることができる。
本発明は以上のように構成し、出力用の端子と雌雄嵌合可能な構成を備えているので、携帯中邪魔にならないように可能な限りコンパクト化した携帯型バッテリーを提供することができる。また、本発明によれば、不使用時に第一端子及び第二端子が本体に収納され露出しないので、埃の付着や汚れの防止その他不測の事態に対する防護策を講じられる。また、本発明によれば、ＵＳＢ端子を第一収納部に収納することによってＵＳＢ端子を経由した通電が行なわれないようになり、二次電池の充放電の管理を容易化するとともに、安全性向上にも寄与するものである。
【図面の簡単な説明】
【０００５】
図１は本発明に係る携帯型バッテリーの一例を示すもので、Ａは上面図、Ｂは正面図、Ｃは底面図、Ｄは側面図である。
図２は同上のものの端子を引き出した状態を示す正面図である。
図３は同上における第一及び第二収納部を拡大して示す説明図である。
図４は同じく本発明に係る携帯型バッテリーの使用状態を示す説明図である。
【発明を実施するための最良の形態】
【０００６】
以下図示の実施形態を参照して本発明をより詳細に説明する。図１は本発明に係る携帯型バッテリー１０の実施形態の一例を示すものである。本体１１の内部に二次電池１２を内蔵しており、上記二次電池１２を充電するための第一端子１３と、二次電池１２を使用するための第二端子１４を上記本体１１に備えている。第一端子１３及び第二端子１４には、指先で扱うため凹凸状の滑り止め１３ａ、１４ａが設けられている（図３参照）。
第一端子１３及び第二端子１４は、それぞれ不使用時には本体１１の第一収納部１５及び第二収納部１６に収納されるとともに、使用時には引き出せるように上記本体側とケーブル１７、１８で接続されている（図２参照）。ケーブル１７、１８は、それぞれ二次電池１２の外周をほぼ一周する程度の長さを有するものとし、それによって、他の機器との接続の際の取り回しを容易にしている。図示の例に置いて、上記の内の第一端子１３の方は入力用の端子であり、この端子を第一収納部１５に収納するとともに、上記入力用の端子１３と第一収納部１５は、特に雌雄嵌合可能な構成を備えている。また、入力用の第一端子１３を収納する第一収納部１５は出力用の端子に該当する。
上記の本体１１は、やや縦長の扁平なベース型に形成されている。このやや縦長の扁平型は二次電池１２の形態及び第一収納部１５、第二収納部１６等の配列と関連して決められている。図示のものの場合、片手に収まる程度の大きさの直方体に形成されており、正面と背面にやや突き出た突縁１１ａ、１１ｂを設けている（図１Ａ、Ｃ、Ｄ参照）。このため突縁１１ａ、１１ｂの間に凹部１９が形成され、ケーブル１７、１８及びこれらに接続されている端子１３、１４を保護するとともに、外から見みえにくいようにデザインされている。
即ち、この実施形態では、上記本体１１の側面に沿って本体１１と第一端子１３、第二端子１４を接続しているケーブル１７、１８の嵌め込み溝２１、２２が設けられている。従って、前記ＵＳＢ端子を収納する第一収納部１５及びコネクター端子を収納する第二収納部１６は、上記嵌め込み溝２１、２２の延長線上の本体側面に設けられている（図３参照）。ケーブル１７、１８は、第一端子１３を第一収納部１５に収納し、第二端子１４を第二収納部１６に収納することで弛みなく上記嵌め込み溝２１、２２に収められる。
本実施形態では、図３に詳細に示されているように、第一端子１３を収納する第一収納部１５と、第二端子１４を収納する第二収納部１６が、平行する二列の嵌め込み溝２１、２２のそれぞれに位置をずらせて設けられている。このため第一端子１３と第二端子１４の位置が重なっても処理が容易であるので、第一端子１３及び第二端子１４のサイズが図示の例から変化しても対応することは容易である。
前記出力用の端子を収納する第一収納部１５、第二収納部１６の一方は、入力用の端子に、また、他方は出力用の端子に該当し、上記出力用の端子と収納部も雌雄嵌合可能な構成を備えている。図３に示されている第一収納部１５は、タイプＢのＵＳＢ端子として図示されている第一端子１３を接続するＵＳＢソケット２０を内部に有しており、ＵＳＢ端子を第一収納部に収納することによって電源回路２３に接続した状態となる（図４参照）。また、コネクター端子をデジタル機器に接続したときに、電源のループ発生に対処する電源のループ防止回路を、上記電源回路２３とともに搭載している。図４は本発明の携帯型バッテリー１０の使用状態を示しており、第一端子１３はデジタル機器ＰＣに接続され、第二端子１４は携帯型デジタル機器Ｄに接続されている。
また、第一収納部１５として第一端子１３であるＵＳＢ端子と嵌合する固定構造２４、第二収納部１６として第二端子１４であるコネクター端子と嵌合する固定構造２５が設けられている。図示の固定構造２４、２５は第一端子１３、第二端子１４の側面に設けた突起であり、第一収納部１５、第二収納部１６の内壁面に接触して摩擦係合し抜け止めとなる構造である。また、ＵＳＢソケット２０にはばね２６が備わっているものもあるが、このようなばね２６も固定構造の一部になる。なお、２７はパイロットランプを示す。
このような構成を有する本発明の携帯型バッテリー１０は、不使用時、図１に示したように内蔵の二次電池よりもやや大きく、突起などのない扁平な形状を有するに過ぎない。このため携帯中に第一端子１３や第二端子１４が何かに引っ掛かったり、手探りで触れてそれらが外れてしまったりすることがない。特に、本発明の携帯型バッテリー１０においては、一方は入力用の端子として、上記出力用の端子と雌雄嵌合可能な構成を備えているので、少なくとも端子一個分のスペースが不要となる。
そして第一収納部１５に収められている第一端子１３をデジタル機器ＰＣに接続するときには、第一収納部１５に収納されているものを、指先で摘んで容易に外すことができ、使用後収めるときは単に押し込めば良いので、扱いが非常に容易である。また、本体１１に出し入れ可能に設けられている第二端子１４にしても、第一端子１３と同様に使用時は指先で摘んで容易に外し、使用後収めるときは単に押し込めば良いので、扱いを間違えることがない。また、第一端子１３と第二端子１４は、不使用状態において完全に収納され、端子の金属面は埃や手の脂などから保護される。
使用時、本発明のものは、第一端子１３のＵＳＢ端子をデジタル機器ＰＣであるパーソナルコンピューター等のＵＳＢポートに接続して、二次電池１２を充電し（図４参照）、また、第二端子１４にｉＰｈｏｎｅ（アップル社の商品名）として知られているスマートフォン、或いはｉＰｏｄ（アップル社の商品名）として知られている携帯型デジタル音楽プレイヤー等の携帯型デジタル機器Ｄを接続して使用することができる（図４参照）。本発明では、本体側と第一端子１３及び第二端子１４とがケーブル１７、１８で接続されていることにより、電子機器ＰＣ、Ｄに対してそれらの端子１３、１４を任意の向きで接続することが特に容易である。
特に本発明によれば、第一収納部１５に収納した使用状態では、第一端子１３のＵＳＢ端子がＵＳＢソケット２０に差し込める構成を有することで、少なくとも端子１個分の設置スペースの節減が可能になっている。また、上記第一端子が電源のループ防止回路に接続されることで、電源のループ発生に対処することとなる。それによって、ＵＳＢ端子からの出力もバッテリー本体への充電も機能しないようになり、二次電池１２の管理を容易に行えるようになる。
【符号の説明】
【０００７】
１０  携帯型バッテリー
１１  本体
１２  二次電池
１３  第一端子
１４  第二端子
１５  第一収納部
１６  第二収納部
１７、１８  ケーブル
１９  凹部
２０  ＵＳＢソケット
２１、２２  嵌め込み溝
２３  電源回路
２４、２５  固定構造
２６  ばね
２７  パイロットランプ
【図１】
2013161092.tif 000003
【図２】
2013161092.tif 000004
【図３】
2013161092.tif 000005
【図４】
2013161092.tif 000006
【国際調査報告】
2013161092.tif 000007
2013161092.tif 000008